(57)【特許請求の範囲】
【請求項１】
建物のオーバーハング部の前方下端部に配設されるオーバーハング部材において，
該オーバーハング部材は，一体的に形成された窯業系材料からなる面取本体と，該面取本体に固定された取付板とを有し，
上記面取本体は，上記オーバーハング部の外側に前方下方を向いて配される面取意匠面と，該面取意匠面の反対側に形成された背面と，上記背面の上端において前方へ向って形成された上端面と，上記背面の後端において下方へ向って形成された後端面と，上記面取意匠面の前端において上方へ向って形成された前端面と，上記面取意匠面の下端において後方へ向って形成された下端面とを有し，
上記取付板は，上記面取本体の上記背面に固定する固定板部と，該固定板部の上端から上方に延設された上方脚板部と，上記固定板部の下端から後方に延設された後方脚板部とを有し，
上記上方脚板部は，上記固定板部との間に，前方へ突出した横目地用突出部を設けてなることを特徴とするオーバーハング部材。
【請求項２】
請求項１において，上記後方脚板部は，該後方脚板部の後端よりも前方に，上記建物の軒天材の前端面を当接させることが可能な軒天当接板部を，上方に向って立設してなることを特徴とするオーバーハング部材。
【請求項３】
請求項１において，上記取付板は，上記後方脚板部の上方に，上記建物の軒天材の前端部を収容するためのソケット部を形成してなることを特徴とするオーバーハング部材。
【請求項４】
請求項２又は３において，上記後方脚板部は，上記軒天当接板部又は上記ソケット部よりも前方に，通気及び水抜きのための開口穴を形成してなることを特徴とするオーバーハング部材。
【請求項５】
建物のオーバーハング部の前方下端部にオーバーハング部材を配設してなるオーバーハング部施工構造において，
該オーバーハング部施工構造は，上記オーバーハング部の構造躯体に下地材を介して，或いは下地材を介さずに上記オーバーハング部材及び該オーバーハング部材の上方に配された窯業系材料からなる外壁板とを留め付けてなると共に，上記構造躯体の底面に軒天材を配設してなり，
該オーバーハング部材は，一体的に形成された窯業系材料からなる面取本体と，該面取本体に固定された取付板とを有し，上記面取本体は，上記オーバーハング部の外側に前方下方を向いて配される面取意匠面と，該面取意匠面の反対側に形成された背面と，上記背面の上端において前方へ向って形成された上端面と，上記背面の後端において下方へ向って形成された後端面と，上記面取意匠面の前端において上方へ向って形成された前端面と，上記面取意匠面の下端において後方へ向って形成された下端面とを有しており，上記取付板は，上記面取本体の上記背面に固定する固定板部と，該固定板部の上端から上方に延設された上方脚板部と，上記固定板部の下端から後方に延設された後方脚板部とを有し，
上記オーバーハング部材は，上記取付板の上記上方脚板部において上記構造躯体に固定されていると共に，上記後方脚板部によって，上記軒天材の前端部を下方から被っており，
上記上方脚板部は，上記固定板部との間に，前方へ突出した横目地用突出部を設けてなり，該横目地用突出部は，上記面取本体の上端面と上記外壁板の下辺部との間に配置されており，
かつ，上記面取本体と上記外壁板の外壁側端面との間には，目地処理材が配設してあることを特徴とするオーバーハング部施工構造。
【請求項６】
請求項５において，上記後方脚板部は，該後方脚板部の後端よりも前方に，軒天当接板部を，上方に向って立設してなり，該軒天当接板部に上記軒天材の前端面を当接させてなることを特徴とするオーバーハング部施工構造。
【請求項７】
請求項５において，上記取付板は，上記後方脚板部の上方にソケット部を形成してなり，該ソケット部に上記軒天材の前端部を収容してなることを特徴とするオーバーハング部施工構造。
【請求項８】
請求項６又は７において，上記後方脚板部は，上記軒天当接板部又は上記ソケット部よりも前方に，通気及び水抜きのための開口穴を形成してなることを特徴とするオーバーハング部施工構造。
【発明の詳細な説明】
【０００１】
【発明の属する技術分野】
本発明は，建物におけるベランダ等のオーバーハング部の前方下端部に配設されるオーバーハング部材に関する。
【０００２】
【従来の技術】
従来より，図１３に示すごとく，建物におけるベランダ等のオーバーハング部の前方壁面に，外壁板５を配設してなる垂れ壁仕様のオーバーハング部施工構造８がある。
上記外壁板５は，上記オーバーハング部の構造躯体４１に，縦胴縁等の下地材４２，通気用スペーサ４６を介して固定されている。また，上記オーバーハング部の底部には，軒天材４３が配設されている。
【０００３】
ところが，上記オーバーハング部施工構造８は，斜め前方下方から，即ち屋外から通常の視線角度で見上げたとき，上記外壁板５の下辺部５３が見えてしまう。また，上記オーバーハング部の前方壁面を構成する上記外壁板５の外壁意匠面５１が，下端部で突然途切れてしまう状態となり，外観意匠性が低下するおそれがある。
【０００４】
かかる観点から，図１４に示すごとく，上記オーバーハング部の前方下端部に，縦断面Ｌ字形状のオーバーハング部材９を配設したオーバーハング部施工構造８０がある。これにより，上記オーバーハング部の前方下端部においても，上記外壁板５の外壁意匠面５１と同様の意匠面９５を構成することができ，オーバーハング部施工構造８０の外観意匠性を向上させることができる。
【０００５】
該オーバーハング部材９は，例えば以下のごとく製造する。
まず，図１５に示すごとく，窯業系外壁板などの板材９１０を切断して，適当な大きさに板片９１を切り出す。次いで，図１６に示すごとく，該板片９１の一方の側端部９１１を斜めに切り落し，表側面９１２及び裏側面９１３に対して約４５°の角度をなす切断面９１４を形成する。また，表側面９１２の端部９１６についても，欠け防止のため，面取りしておく。
【０００６】
次いで，図１７，図１８に示すごとく，２枚の上記板片９１の上記切断面９１４同士を突き合せ，２枚の板片９１の表側面９１２が略直角となるように接合する。このとき，２枚の板片９１の上記切断面９１４の間には，接着剤９２を介在させる。これにより，上記２枚の板片９１を接着する。
また，上記２枚の板片９１の接合部９３には，タッカー９４を打ち込み，接合強度を確保する。
次いで，図１９に示すごとく，上記接合部９３の外側角部９３１を面取り切断し，該外側角部９３１の欠けを防止すると共に外観意匠性を向上させる。
【０００７】
【発明が解決しようとする課題】
しかしながら，上記従来のオーバーハング部材９は，上述のごとく，接着剤９２を用いて２枚の板片９１を接着する。そのため，接着養生の必要があり，製造に時間がかかる。また，２枚の板片９１の突合せ角度（例えば略９０°）を保持した状態で乾燥させるための保持治具が必要である。
【０００８】
また，上記接着剤９２が接合部９３からはみ出すこともあり，オーバーハング部材９の外観意匠性を低下させるおそれがある。それ故，この場合には，接着養生後に，はみ出した接着剤９２を削り取る必要がある。
また，上述のごとく，上記接合部９３にタッカー９４を打ったり，上記接合部９３の外側角部９３１を面取り切断する必要もある。そして，面取り面を後から補修塗装する必要もある。
【０００９】
更には，上記板片９１の表側面９１２に柄模様が形成されている場合に，その柄模様が上記接合部９３の両側においてずれると，違和感を生じ，オーバーハング部材９の外観意匠性が低下するおそれがある。
また，それ故，２枚の板片９１を接合するにあたっては，互いの柄模様がずれないよう位置合わせを慎重に行う必要がある。
【００１０】
また，上記オーバーハング部施工構造は，前方下端部が略直角状に形成されるため，緩やかな外観を表出することは困難であり，場合によっては外観意匠性を低下させる原因となる。
【００１１】
本発明は，かかる従来の問題点に鑑みてなされたもので，製造容易，安価かつ外観意匠性に優れたオーバーハング部材及びこれを用いたオーバーハング部施工構造を提供しようとするものである。
【００１２】
【課題を解決するための手段】
第１の発明は，建物のオーバーハング部の前方下端部に配設されるオーバーハング部材において，
該オーバーハング部材は，一体的に形成された窯業系材料からなる面取本体と，該面取本体に固定された取付板とを有し，
上記面取本体は，上記オーバーハング部の外側に前方下方を向いて配される面取意匠面と，該面取意匠面の反対側に形成された背面と，上記背面の上端において前方へ向って形成された上端面と，上記背面の後端において下方へ向って形成された後端面と，上記面取意匠面の前端において上方へ向って形成された前端面と，上記面取意匠面の下端において後方へ向って形成された下端面とを有し，
上記取付板は，上記面取本体の上記背面に固定する固定板部と，該固定板部の上端から上方に延設された上方脚板部と，上記固定板部の下端から後方に延設された後方脚板部とを有し，
上記上方脚板部は，上記固定板部との間に，前方へ突出した横目地用突出部を設けてなることを特徴とするオーバーハング部材にある（請求項１）。
【００１３】
次に，本発明の作用効果につき説明する。
上記面取本体は，上述のごとく一体的に形成されている。そのため，上記面取本体の製造にあたっては，接合，接着の工程を必要としない。それ故，上記面取本体は製造が容易であり，その結果，オーバーハング部材の製造が容易となる。
また，上記面取本体は一体的に形成され，接合部を有しないため，外観意匠性に優れている。
また，上記オーバーハング部材は上記取付板を有するため，該取付板を介して上記オーバーハング部材を上記オーバーハング部に容易に施工することができる。
【００１４】
また，上記面取本体は，上記面取意匠面を有しているため，該面取意匠面によって，上記オーバーハング部の前方下端部を面取りしたような外観に形成することができる。それ故，緩やかな印象を与える外観意匠性の高いオーバーハング部を構築することができる。
【００１５】
以上のごとく，本発明によれば，製造容易かつ外観意匠性に優れたオーバーハング部材を提供することができる。
【００１６】
第２の発明は，建物のオーバーハング部の前方下端部にオーバーハング部材を配設してなるオーバーハング部施工構造において，
該オーバーハング部施工構造は，上記オーバーハング部の構造躯体に下地材を介して，或いは下地材を介さずに上記オーバーハング部材及び該オーバーハング部材の上方に配された窯業系材料からなる外壁板とを留め付けてなると共に，上記構造躯体の底面に軒天材を配設してなり，
該オーバーハング部材は，一体的に形成された窯業系材料からなる面取本体と，該面取本体に固定された取付板とを有し，上記面取本体は，上記オーバーハング部の外側に前方下方を向いて配される面取意匠面と，該面取意匠面の反対側に形成された背面と，上記背面の上端において前方へ向って形成された上端面と，上記背面の後端において下方へ向って形成された後端面と，上記面取意匠面の前端において上方へ向って形成された前端面と，上記面取意匠面の下端において後方へ向って形成された下端面とを有しており，上記取付板は，上記面取本体の上記背面に固定する固定板部と，該固定板部の上端から上方に延設された上方脚板部と，上記固定板部の下端から後方に延設された後方脚板部とを有し，
上記オーバーハング部材は，上記取付板の上記上方脚板部において上記構造躯体に固定されていると共に，上記後方脚板部によって，上記軒天材の前端部を下方から被っており，
上記上方脚板部は，上記固定板部との間に，前方へ突出した横目地用突出部を設けてなり，該横目地用突出部は，上記面取本体の上端面と上記外壁板の下辺部との間に配置されており，
かつ，上記面取本体と上記外壁板の外壁側端面との間には，目地処理材が配設してあることを特徴とするオーバーハング部施工構造にある（請求項５）。
【００１７】
上記面取本体は一体的に形成され，接合部を有しないため，外観意匠性に優れている。
また，上記面取本体は，上記面取意匠面を有しているため，該面取意匠面によって，上記オーバーハング部の前方下端部を面取りしたような外観に形成することができる。それ故，緩やかな印象を与える外観意匠性の高いオーバーハング部施工構造を得ることができる。
【００１８】
また，上記面取本体は，上述のごとく一体的に形成されているため，上記面取本体の製造にあたっては，接合，接着の工程を必要としない。それ故，上記面取本体は製造が容易であり，その結果，オーバーハング部材の製造が容易となる。これにより，上記オーバーハング部施工構造を安価に得ることが可能となる。
また，上記オーバーハング部材は上記取付板を有し，該取付板における脚板部において，下地材及び構造躯体に上記オーバーハング部材を固定することができる。そのため，上記オーバーハング部材を容易に施工することができる。
【００１９】
以上のごとく，本発明によれば，施工容易かつ外観意匠性に優れたオーバーハング部施工構造を提供することができる。
【００２０】
【発明の実施の形態】
上記第１の発明（請求項１）においては，上記取付板は，例えば厚み０．３〜１．０ｍｍの金属板を折り曲げ加工してなる。また，該金属板の材質としては，例えば，メッキ鋼板，ステンレス鋼板等を用いることができる。また，上記取付板は，アルミや樹脂等の押出成形等によって形成することもできる。
【００２１】
また，「一体的に形成」とは，複数の部材を接合して形成することなく，例えば，一体成形により形成したり，一体成形体等を切断，切削加工して形成したりすることをいう。以下においても同様である。
なお，本明細書においては，上記オーバーハング部材を施工した状態において，上，下，左，右となる向きを，それぞれ，上，下，左，右として表す。
【００２２】
また，上記後方脚板部は，該後方脚板部の後端よりも前方に，上記建物の軒天材の前端面を当接させることが可能な軒天当接板部を，上方に向って立設してなることが好ましい（請求項２）。
この場合には，上記軒天材を上記オーバーハング部材の取付け後に，容易に固定することができる。
【００２３】
また，上記取付板は，上記後方脚板部の上方に，上記建物の軒天材の前端部を収容するためのソケット部を形成してなるものであってもよい（請求項３）。
この場合には，上記軒天材が，上記ソケット部を介して上記オーバーハング部材の後方脚板部を支持することとなるため，上記オーバーハング部材の固定力が向上する。また，上記軒天材の前端面の位置が多少前後にずれても，外観等に影響を与えることがないという利点もある。
【００２４】
また，上記後方脚板部は，上記軒天当接板部又は上記ソケット部よりも前方に，通気及び水抜きのための開口穴を形成してなることが好ましい（請求項４，請求項８）。
この場合には，上記開口穴から上記外壁板の後方へ空気を導入し，通気性を確保することができる。また，万一上記外壁板の後方に雨水が浸入した場合にも，この雨水を上記開口穴から排出することができる。
これにより，上記外壁板，構造躯体等の腐食，劣化を防ぐことができ，耐久性に優れたオーバーハング部施工構造を得ることができる。
【００２５】
また，上記上方脚板部は，上記固定板部との間に，前方へ突出した横目地用突出部を設けてなる。
これにより，上記面取本体を，取付板における正確な位置に固定することができる。また，上記オーバーハング部材を施工するにあたり，該オーバーハング部材の上方に配設される外壁板を正確な位置に施工することが容易となる。
【００２６】
次に，上記第２の発明（請求項５）において，上記オーバーハング部材の面取本体は，上記外壁板と同質の材料からなることが好ましい。これにより，上記オーバーハング部において，外壁板とオーバーハング部材とが連続した外観を表出し，より外観意匠性に優れたオーバーハング部施工構造を得ることができる。
また，上記目地処理材としては，例えば，シーリング材を用いることもでき，乾式のドライシール部材を用いることもできる。
【００２７】
また，上記後方脚板部は，該後方脚板部の後端よりも前方に，軒天当接板部を，上方に向って立設してなり，該軒天当接板部に上記軒天材の前端面を当接させてなることが好ましい（請求項６）。
この場合には，上記軒天材を上記オーバーハング部材の取付け後に，容易に固定することができる。
【００２８】
また，上記取付板は，上記後方脚板部の上方にソケット部を形成してなり，該ソケット部に上記軒天材の前端部を収容してあってもよい（請求項７）。
この場合には，上記軒天材が，上記ソケット部を介して上記オーバーハング部材の後方脚板部を支持することとなるため，上記オーバーハング部材の固定力が向上する。また，上記軒天材の前端面の位置が多少前後にずれても，外観等に影響を与えることがないという利点もある。
【００２９】
また，上記上方脚板部は，上記固定板部との間に，前方へ突出した横目地用突出部を設けてなり，該横目地用突出部は，上記面取本体の上端面と上記外壁板の下辺部との間に配置されている。
これにより，上記オーバーハング部材と，その上方に配設される外壁板との間隔を一定にすることができる。また，例えば，上記横目地用突出部の前面にボンドブレーカを貼着して，その上（面取本体と外壁板との間の隙間部）に適正な量の目地処理材を充填することができる。
【００３０】
【実施例】
（実施例１）
本発明の実施例にかかるオーバーハング部材及びオーバーハング部施工構造につき，図１〜図８を用いて説明する。
本例のオーバーハング部材１は，図１，図２に示すごとく，建物のオーバーハング部の前方下端部に配設される。
【００３１】
図１，図３に示すごとく，該オーバーハング部材１は，一体的に形成された面取本体２と，該面取本体２に固定された取付板３とを有する。
上記面取本体２は，図１，図４に示すごとく，上記オーバーハング部の外側に前方下方を向いて配される面取意匠面２１と，該面取意匠面２１の反対側に形成された背面２２とを有している。
【００３２】
上記取付板３は，図３，図５に示すごとく，上記面取本体２の上記背面２２に固定する固定板部３１と，該固定板部３１の上端から上方に延設された上方脚板部３２と，上記固定板部３１の下端から後方に延設された後方脚板部３３とを有する。
【００３３】
図１，図４に示すごとく，上記面取本体２は，上記背面２２の上端において前方へ向って形成された上端面２２１と，上記背面２２の後端において下方へ向って形成された後端面２２２とを有する。また，上記面取本体２は，上記面取意匠面２１の前端において上方へ向って形成された前端面２１１と，上記面取意匠面２１の下端において後方へ向って形成された下端面２１２とを有する。
【００３４】
また，図１，図３，図５に示すごとく，上記後方脚板部３３は，該後方脚板部３３の後端よりも前方に，上記建物の軒天材４３の前端面４３１を当接させることが可能な軒天当接板部３４を，上方に向って立設してなる。
また，上記後方脚板部３３は，上記軒天当接板部３４よりも前方に，通気及び水抜きのための開口穴３３１を形成してなる。該開口穴３３１は，図３，図７に示すごとく，所定の間隔をもって複数形成されている。
【００３５】
また，図１，図３，図５に示すごとく，上記上方脚板部３２は，上記固定板部３１との間に，前方へ突出した横目地用突出部３５を設けてなる。該横目地用突出部３５は，断面略コ字状に形成されており，その下面３５２は上記面取本体２の上端面２２１に対面し，上面３５３は後述する外壁板５の下辺部５３に対面する。
【００３６】
また，図１，図５に示すごとく，上記後方脚板部３３は，後方に向って若干上方に傾斜して形成されている。
また，上記固定板部３１は，上記面取本体２の上記後端面２２２を含めた背面２２の形状に沿って形成されている。そして，上記面取本体２は，上記背面２２において，上記取付板３の固定板部３１に，接着剤１１を介在させることにより接着固定されている。なお，面取本体１１と取付板３との固定方法は，金具固定等，他の方法であってもよい。
【００３７】
次に，上記オーバーハング部材１を用いた，本例のオーバーハング部施工構造４につき説明する。
該オーバーハング部施工構造４は，図１に示すごとく，上記オーバーハング部の構造躯体４１に下地材４２を介して上記オーバーハング部材１及び該オーバーハング部材１の上方に配された外壁板５とを留め付けてなると共に，上記構造躯体４１の底面に軒天材４３を配設してなる。
【００３８】
上記オーバーハング部材１は，上記取付板３の上記上方脚板部３２において上記構造躯体４１に固定されていると共に，上記後方脚板部３３によって，上記軒天材４３の前端部４３２を下方から被っている。
また，上記面取本体２と上記外壁板５の外壁側端面５３との間には，目地処理材４７が配設してある。即ち，上記横目地用突出部３５の前面にボンドブレーカを貼着して，その上（面取本体２と外壁板５との間の隙間部）に適正な量の目地処理材４７を充填してある。該目地処理材４７としては，シーリング材を用いている。
【００３９】
上記下地材４２としては，上記構造躯体４１の前面に水平方向に固定された横胴縁４２１と，該横胴縁４２１の上方に縦方向に配された縦胴縁４２２とがある。該縦胴縁４２２は，図１に示すごとく，防水紙４４を介して，釘４５によって構造躯体４１に固定されている。また，上記横胴縁４２１の前面には，防水紙４４，通気用スペーサ４６を介して，上記オーバーハング部材１の取付板３の上方脚板部３２が配置されている。そして，この部分において，上記オーバーハング部材１は釘４５によって構造躯体４１に固定されている。
【００４０】
また，上記取付板３２の上方脚板部３２の前方には，上記外壁板５が釘４５によって上記横胴縁３２に固定されている。
上記通気用スペーサ４６は，図８に示すごとく，上下方向に貫通した通気セル４６１を複数有している。
【００４１】
また，上記後方脚板部３３に立設された軒天当接板部３４には，上記軒天材４３の前端面４３１を当接させている。なお，該前端面４３１は，必ずしも上記軒天当接板部３４に当接させる必要はない。
上記上方脚板部３３における横目地用突出部３５は，上記面取本体２の上端面２２１と上記外壁板５の下辺部５３との間に配置されている。即ち，上記横目地用突出部３５の上面３５３は，上記外壁板５の下辺部５３に当接し，上記横目地用突出部３５の下面３５２は，上記面取本体２の上端面２２１に当接している。
【００４２】
また，上記オーバーハング部材１の面取本体２は，上記外壁板５と同質の材料からなる。また，本例において，上記面取本体２は窯業系材料からなるが，樹脂等の他の材料を用いることもできる。
【００４３】
また，上記オーバーハング部の上下左右に関するコーナー部に，上記オーバーハング部材１を配設するに当っては，該オーバーハング部材１を，図６に示すごとく，下面視略Ｌ字状に配設する。即ち，該オーバーハング部材１の一端を略４５°に切断したものを，その切断面１２同士を突き合わせるようにして配設する。
【００４４】
なお，図７に示すごとく，上記取付板３を予めＬ字状に形成しておいて，その固定板部３１に上記面取本体２を固定してもよい。この場合，通常の取付板３（図５）の横目地用突出部３５の部分を残して切断して切込みを入れ，残った上記横目地用突出部３５において，折り曲げることにより，上記略Ｌ字状の取付板３を得ることもできる。
【００４５】
次に，本例の作用効果につき説明する。
上記面取本体２は，上述のごとく一体的に形成されている。そのため，上記面取本体２の製造にあたっては，接合，接着の工程を必要としない。それ故，上記面取本体２は製造が容易であり，その結果，オーバーハング部材１の製造が容易となる。
【００４６】
また，上記面取本体２は一体的に形成され，接合部を有しないため，外観意匠性に優れている。
また，上記オーバーハング部材１は上記取付板３を有するため，該取付板３を介して上記オーバーハング部材１を上記オーバーハング部に容易に施工することができる。これにより，上記オーバーハング部施工構造４を安価に得ることが可能となる。
【００４７】
また，上記面取本体２は，上記面取意匠面２１を有しているため，該面取意匠面２１によって，上記オーバーハング部の前方下端部を面取りしたような外観に形成することができる（図２）。それ故，緩やかな印象を与える外観意匠性の高いオーバーハング部施工構造４を構築することができる。
【００４８】
また，図１に示すごとく，上記取付板３の後方脚板部３３は，上記軒天材４３の前端部４３２を下方から被っている。そのため，上記軒天材４３の前端部４３２が外部から見えず，外観意匠性に優れたオーバーハング部施工構造４を得ることができる。
【００４９】
また，上記後方脚板部３３は上記軒天当接板部３４を立設してなり，該軒天当接板部３４に上記軒天材４３の前端面４３１を当接させてなる。そのため，上記軒天材４３を上記オーバーハング部材１の取付け後に，容易に固定することができる。また，軒天材４３が少々短くても，取付板３によって前端部４３２を被覆することができる。
【００５０】
また，上記後方脚板部３３は，上記開口穴３３１を形成してなるため，図１に示すごとく，該開口穴３３１から上記外壁板５の後方へ空気６を導入することができる。この空気６は，上記通気用スペーサ４６の通気セル４６１（図８）を通って外壁板５の後方に導入される。これにより，オーバーハング部施工構造４の通気性を確保することができる。また，万一上記外壁板５の後方に雨水が浸入した場合にも，この雨水を上記開口穴３３１から排出することができる。
これにより，上記外壁板５，構造躯体４１等の腐食，劣化を防ぐことができ，耐久性に優れたオーバーハング部施工構造４を得ることができる。
【００５１】
また，上記上方脚板部３３は，上記横目地用突出部３５を設けてなり，該横目地用突出部３５は，図１に示すごとく，上記面取本体２の上端面２２１と上記外壁板５の下辺部５３との間に配置されている。そのため，上記オーバーハング部材１と，その上方に配設される外壁板５との間隔を一定にすることができる。また，上記横目地用突出部３５の前面にボンドブレーカを介して，適正な量の目地処理材４７を充填することができる。
【００５２】
また，上記面取意匠面２１は，上記前端面２１１を有しているため，図１に示すごとく，面取本体２の面取意匠面２１と，これに隣接して配される外壁板５の外壁意匠面５１との面合わせをすることができる。それ故，一層外観意匠性に優れたオーバーハング部施工構造４を得ることができる。
【００５３】
また，上記オーバーハング部材１の面取本体２は，上記外壁板５と同質の材料からなる。そのため，上記オーバーハング部において，外壁板５とオーバーハング部材１とが連続した外観を表出し，より外観意匠性に優れたオーバーハング部施工構造４を得ることができる。
【００５４】
以上のごとく，本例によれば，製造容易かつ外観意匠性に優れたオーバーハング部材及びオーバーハング部施工構造を提供することができる。
【００５５】
（実施例２）
本例は，図９，図１０に示すごとく，取付板３の後方脚板部３３の上方にソケット部３６を形成してなるオーバーハング部材１の例である。そして，これを用いたオーバーハング部施工構造４は，図９に示すごとく，上記ソケット部３６に軒天材４３の前端部４３２を収容してなる。
【００５６】
即ち，図１０に示すごとく，上記ソケット部３６は，上記後方脚板部３３の後端から前方へ折り返された底板部３６１と，該底板部３６１の前端から上方へ立設した前板部３６２と，該前板部３６２の上端から後方へ屈曲した上板部３６３とによって形成されている。
その他は，実施例１と同様である。
【００５７】
この場合には，上記軒天材４３が，上記ソケット部３６を介して上記オーバーハング部材１の後方脚板部３３を支持することとなるため，上記オーバーハング部材１の固定力が向上する。また，上記軒天材４３の前端面４３１の位置が多少前後にずれても，外観等に影響を与えることがないという利点もある。
その他，実施例１と同様の作用効果を有する。
【００５８】
（実施例３）
本例は，図１１に示すごとく，面取本体２の背面２２を，互いに直交する上端面２２１と後端面２２２とによって形成したオーバーハング部材１の例である。該オーバーハング部材１における取付板３の固定板部３１は，上記面取本体２の背面２２の形状に合わせた形状となっている。即ち，上記固定板部３１は，上記面取本体２の上端面２２１に固定する水平板部３１２と，後端面２２２に固定する鉛直板部３１３とからなる。
【００５９】
また，上記オーバーハング部材１を用いたオーバーハング部施工構造４においては，図１１に示すごとく，上記取付板３の水平板部３１２の上面に，下地材４２としての縦胴縁４２１の下端部４２３を当接させている。また，上記取付板３の上方脚板部３２は，上記縦胴縁４２１を介して構造躯体４１に固定してある。
なお，本例においては，横胴縁は配設していない。
その他は，実施例１と同様である。
この場合にも，実施例１と同様の作用効果を有する。
【００６０】
（実施例４）
本例は，図１２に示すごとく，面取本体２の前端面２１１の上下方向の幅を大きくしたオーバーハング部材１の例である。
上記前端面２１１の反対側には，該前端面２１１に略平行に形成した上部背面２２３が形成されている。この面取本体２の形状に合わせて，上記オーバーハング部材１における取付板３の固定板部３１が形成されている。
その他は，実施例１と同様である。
【００６１】
この場合には，上記オーバーハング部材１における面取本体２の上端面２２１の位置が，比較的高い位置に配される。従って，上記面取本体２とその上方に配される外壁板５との間に配設する目地処理材４７が，比較的高い位置に配される。
それ故，上記オーバーハング部を斜め下方から，即ち屋外から通常の視線角度で見上げたとき，上記目地処理材４７が目立ち難い。これにより，一層外観意匠性に優れたオーバーハング部施工構造４を得ることができる。
その他は，実施例１と同様の作用効果を有する。
【００６２】
【発明の効果】
上述のごとく，本発明によれば，製造容易かつ外観意匠性に優れたオーバーハング部材及びこれを用いたオーバーハング部施工構造を提供することができる。
【図面の簡単な説明】
【図１】実施例１における，オーバーハング部施工構造の縦断面図。
【図２】実施例１における，オーバーハング部の斜視図。
【図３】実施例１における，オーバーハング部材の斜視図。
【図４】実施例１における，面取本体の斜視図。
【図５】実施例１における，取付板の斜視図。
【図６】実施例１における，コーナー部分に配設するオーバーハング部材の下面図。
【図７】実施例１における，コーナー部分に配設する取付板の下面図。
【図８】実施例１における，通気用スペーサの斜視図。
【図９】実施例２における，オーバーハング部施工構造の縦断面図。
【図１０】実施例２における，オーバーハング部材の斜視図。
【図１１】実施例３における，オーバーハング部施工構造の縦断面図。
【図１２】実施例４における，オーバーハング部施工構造の縦断面図。
【図１３】従来例における，オーバーハング部施工構造の縦断面図。
【図１４】従来例における，他のオーバーハング部施工構造の縦断面図。
【図１５】従来例における，板材及び板片の平面図。
【図１６】従来例における，切断面を形成した一対の板片の断面図。
【図１７】従来例における，切断面同士を対向させて配置した一対の板片の断面図。
【図１８】従来例における，一対の板片を接合した状態を表す断面図。
【図１９】従来例における，出隅柱の断面図。
【符号の説明】
１．．．オーバーハング部材，
２．．．面取本体，
２１．．．面取意匠面，
２２．．．背面，
３．．．取付板，
３１．．．固定板部，
３２．．．上方脚板部，
３３．．．後方脚板部，
４．．．オーバーハング部施工構造，
５．．．外壁板，
【図１】
0003654264.tif 000002
【図２】
0003654264.tif 000003
【図３】
0003654264.tif 000004
【図４】
0003654264.tif 000005
【図５】
0003654264.tif 000006
【図６】
0003654264.tif 000007
【図７】
0003654264.tif 000008
【図８】
0003654264.tif 000009
【図９】
0003654264.tif 000010
【図１０】
0003654264.tif 000011
【図１１】
0003654264.tif 000012
【図１２】
0003654264.tif 000013
【図１３】
0003654264.tif 000014
【図１４】
0003654264.tif 000015
【図１５】
0003654264.tif 000016
【図１６】
0003654264.tif 000017
【図１７】
0003654264.tif 000018
【図１８】
0003654264.tif 000019
【図１９】
0003654264.tif 000020